(57)【特許請求の範囲】
【請求項１】
筐体の前面側の開口部を囲む固定枠体に蝶着される扉を固定枠体に施解錠するための錠装置であって、固定枠体に固着される受金と、扉に固着される錠装置の本体とからなり、
前記本体は、前記扉に固着されるケースと、ケースから突出した施錠位置とケース内に引き込まれた解錠位置との間を往復移動自在にケースに組み込まれるデッドボルトと、鍵の操作により前記デッドボルトを駆動するように前記ケースに組み込まれる錠前と、前記デッドボルトが解錠位置から施錠位置へ移動する進路に突出してデッドボルトの施錠動作を阻止する遮断位置と当該進路を開放する退避位置との間を移動自在で遮断位置に付勢されるように前記ケースに組み込まれるストッパと、このストッパを遮断位置に配置する第１位置と退避位置に配置する第２位置との間を移動自在に前記ケースに組み込まれるトリガとを具備し、
前記デッドボルトは、前記扉が適正閉扉位置にあるときに、施錠位置へ移動して受金の後部に係合するように配置され、
前記トリガは、ケースから突出した前記第１位置とケース内に押し込まれた前記第２位置との間を前記デッドボルトの移動方向に沿う一側面に沿って往復移動自在で、第１位置に付勢され、前記扉の閉扉動作時に適正閉扉位置に至る間前記受金に摺接して第１位置から第２位置へトリガを移動させる摺動面を具備し、
前記デッドボルトは、一側面に、前記ストッパが遮断位置において係合する係合凹部を有し、
前記トリガは、さらに、前記デッドボルトと前記ストッパとの間に配置され、第２位置においてストッパを退避位置に配置するようにストッパに係合する係合部を具備し、
前記ストッパは、前記デッドボルトの一側方において遮断位置と退避位置との間を回転自在に前記ケースに枢支され、遮断位置においてデッドボルトの前記係合凹部に係合し、退避位置において係合凹部から離脱するように設けられ、
それによって、前記扉が適正閉扉位置にあるときのみ前記錠の施錠操作を可能としたことを特徴とする筐体の扉用錠装置。
【請求項２】
前記トリガは、前記ストッパを遮断位置において前記デッドボルトの係合凹部に向かって延出させる切欠部を具備し、この切欠部の一端側が、第２位置においてストッパを退避位置に配置するようにストッパに係合する係合部を構成することを特徴とする請求項１に記載の筐体の扉用錠装置。
【発明の詳細な説明】
【技術分野】
【０００１】
この発明は、交通信号の制御箱等の筐体の扉を適正な閉扉位置において確実に施解錠するための錠装置に関する。
【背景技術】
【０００２】
従来のこの種の錠装置として、扉に固着される固定ケースと、固定ケースに収容され、固定ケースの側面開口から突出するようにばねで付勢されたラッチ棒と、ラッチ棒を錠止する錠と、固定枠体に固着される丸軸棒状の受金とからなるものが知られている。ラッチ棒は、傾斜面部と平坦面部とを有する。扉を閉鎖回転させると、ラッチ棒の傾斜面部が受金に当たって摺動することにより、ラッチ棒はばね付勢に抗して固定ケース側に後退する。ラッチ棒の先端部が受金を通過した時、ラッチ棒は付勢によって再び前進し、平坦面部が受金に係合する（例えば特許文献１の図４ないし図６参照）。このような錠装置においては、ラッチと錠前のロータとが連動するように構成されており、扉を閉鎖してラッチ棒の平坦面部が受金に係合した後は、錠前を鍵で解錠操作しないと、ラッチを後退させることができない構成になっている。
また、デッドボルトとラッチとを併用した錠装置として、特許文献２に記載されたものが知られている。この錠装置では、扉を閉鎖してラッチを受金部に係合させることによって扉を固定枠体に対して仮施錠した後、錠前のロータに鍵を挿入してデッドボルトを操作し、デッドボルトをラッチと同一の受金部に係合させる。扉を解錠して開放するには、鍵でデッドボルトとラッチとを同時に解錠位置に後退させ、鍵を解錠位置においたまま、扉を引く。鍵は、扉を閉鎖施錠してからでないと錠前から抜き取れない構造になっている。
【先行技術文献】
【特許文献】
【０００３】
【特許文献１】特開平１１−１５９２２３号公報
【特許文献２】特開平１１−２９３９８２号公報
【発明の概要】
【発明が解決しようとする課題】
【０００４】
上記従来の錠装置のうち、前者においては、扉が適正な閉扉位置に到達する前にラッチ棒が受金に対して半掛かりした状態、すなわち、いわゆる半ドアの状態となることがある。この状態では、外見上、扉が適正な閉扉位置で施錠されたと誤認されるおそれがある。
後者は、解錠位置で鍵を抜き取れないことによる鍵の取り扱いに種々の不都合が生じる。
したがって、この出願に係る発明は、扉が適正な閉扉位置にあるときのみ、鍵で錠前を操作して、デッドボルトのみにより扉を施錠できる、手動による施錠機構を持つ錠装置を提供することを目的としている。
【課題を解決するための手段】
【０００５】
以下、添付図面の符号を参照して説明するが、本発明はこれに限定されるものではない。
上記課題を解決するための、この出願に係る発明の錠装置１は、筐体Ｂの固定枠体Ｆに固着される受金３と、扉Ｄに固着される錠装置の本体２とからなる。本体２は、扉Ｄに固着されるケース４と、ケース４から突出した施錠位置とケース４内に引き込まれた解錠位置との間を往復移動自在にケース４に組み込まれるデッドボルト５と、鍵の操作によりデッドボルト５を駆動するようにケース４に組み込まれる錠前６と、デッドボルト５が解錠位置から施錠位置へ移動する進路に突出してデッドボルト５の施錠動作を阻止する遮断位置と当該進路を開放する退避位置との間を移動自在で遮断位置に付勢されるようにケース４に組み込まれるストッパ７と、このストッパを遮断位置に配置する第１位置と退避位置に配置する第２位置との間を移動自在にケースに組み込まれるトリガ８とを具備する。デッドボルト５は、扉Ｄが適正閉扉位置にあるときに、施錠位置へ移動して受金３の後部に係合するように配置される。トリガ８は、ケース４から突出した第１位置とケース４内に押し込まれた第２位置との間をデッドボルト５の移動方向に沿う一側面に沿って往復移動自在で、第１位置に付勢され、扉Ｄの閉扉動作時に適正閉扉位置に至る間受金３に摺接して第１位置から第２位置へトリガ８を移動させる摺動面８ｂを具備する。
【発明の効果】
【０００６】
この出願に係る発明の錠装置によれば、半ドア状態での施錠忘れが生じることがなく、手動による確実な施錠が保証される。
【図面の簡単な説明】
【０００７】
【図１】この発明の実施形態に係る錠装置の正面図である。
【図２】図１の錠装置の平面図である。
【図３】（A）は図１の錠装置の一部を切り欠いた平面図、（B）はB−B断面図、（C）はC−C断面図である。
【図４】（A）は図１の錠装置の一部を切り欠いた平面図、（B）はB−B断面図、（C）はC−C断面図である。
【図５】（A）は図１の錠装置の一部を切り欠いた平面図、（B）はB−B断面図、（C）はC−C断面図である。
【発明を実施するための形態】
【０００８】
図面を参照してこの発明の実施の形態を説明する。
錠装置１は、筐体Bの固定枠体Fに固着される受金３と、扉Dに固着される錠装置の本体２とからなる。錠装置本体２は、扉Dの背面Ｄ１側に固着されるケース４と、それぞれケース４内に組み込まれるデッドボルト５、錠前６、ストッパ７、トリガ８を具備する。
デッドボルト５は、ケース４の開口４ａから突出した施錠位置（図１，５）とケース４内に引き込まれた解錠位置（図３）との間を往復移動自在にケース４に組み込まれ、扉Dが適正閉扉位置にあるときに、施錠位置へ移動して受金３の後部に係合する。デッドボルト５は、概略扁平角柱状で、長孔５ａ、凹部５ｂ、係合凹部５ｅを有する。長孔５ａは、前後方向に貫通し、デッドボルト５の移動軸線方向に延びており、ケース４に固定されたガイドピン９を受け入れている。これにより、デッドボルト５は、長孔５ａとガイドピン９の相対移動範囲で移動自在である。凹部５ｂは、カム板１０を受け入れるようにデッドボルト５の前面側に形成され、その外周に受動面５ｃ，５ｄを有する。係合凹部５ｅは、デッドボルト５の背面側に形成され、ストッパ７に係合する。
錠前６は、シリンダケース６ａを開口Ｄ３から扉Ｄの前面Ｄ２側へ突出させるように配置され（図２）、図示しない鍵の操作により、カム板１０を介してデッドボルト５を駆動するようにケース４に組み込まれる。カム板９は、錠前６のロータ６ｂに固着され、施錠位置と解錠位置の間を９０°正逆回転自在であり、その外周のカム面をデッドボルト５の受動面５ｃ，５ｄに摺動させてデッドボルト５を駆動する。
ストッパ７は、デッドボルト５が解錠位置から施錠位置へ移動する進路に突出してそれの施錠動作を阻止する遮断位置と、当該進路を開放する退避位置との間を移動自在で、遮断位置に付勢されるようにケース４に組み込まれる。すなわち、ストッパ７は、デッドボルト５の一側方において、枢軸１１によりケース４に枢支され、図３に示す軸遮断位置と、図５に示す退避位置との間を回転自在であり、ばね１２により遮断位置に付勢される。ストッパ７は、遮断位置においてデッドボルト５の係合凹部５ｅに係合して、それの施錠方向の移動を阻止し、退避位置において係合凹部５ｅから離脱して、それの施錠方向の移動を許容する。
トリガ８は、デッドボルト５の一側面に沿い、それとストッパ７との間に介在するように配置され、先端部がケース４の開口４ａから突出した第１位置と、ケース内に押し込まれた第２位置との間を移動自在にケース４に組み込まれ、ばね１３により、第１位置に付勢される。トリガ８は、切欠部８ａと、摺動斜面８ｂとを有する。切欠部８ａは、ストッパ７をデッドボルト５側へ突出させ、トリガ８が第１位置にあるとき、一端部の係合部がストッパ７に係合して、ストッパ７を退避位置に配置し、第２位置にあるとき、ストッパ７を遮断位置に配置してデッドボルト５を解錠位置に拘束する。トリガ８の先端側に形成される摺動斜面８ｂは、扉Dの閉扉動作時に、それが適正な閉扉位置に至る間、受金３に摺接して、トリガ８を第１位置から第２位置へ移動させる。したがって、デッドボルト５は、扉Dが適正な閉扉位置にあるときにのみ施錠位置へ移動可能である。
図３において、扉Ｄは開いており、錠装置本体２のデッドボルト５は解錠位置、トリガ８はケース４から突出した第１位置、ストッパ７は遮断位置にある。この状態では、デッドボルト５の係合凹部５ｅにストッパ７が係合しているので、デッドボルト５を施錠方向へ移動させることができない。扉Ｄが閉扉方向へ回転する途上で、受金３がトリガ８の摺動斜面８ｂに当接し、相対摺動しながら、トリガ８をケース４内へ押し込む。扉Ｄが図４に示す適正閉扉位置に至ると、トリガ８は第２位置に至り、ストッパ７を退避位置に配置するから、デッドボルト５の施錠方向への移動が可能となる。この状態で、扉Ｄを筐体Ｂ側へ押し付ける操作をやめると、トリガ８がばね１３の力で突出し、受金３を押して扉Ｄを押し開くように設定されている。扉Ｄを適正閉扉位置に保持した状態で、キーの操作で錠前６のロータ６ｂを施錠方向（図３，４において反時計方向）へ回転させ、デッドボルト５を図５に示す施錠位置へ移動させ、受金３の背面側に係合させる。これで施錠が完了する。この施錠状態から、キーの操作でデッドボルト５を図４に示す解錠位置へ移動させると、トリガ８の突出力により、扉Ｄは自動的に開く。
【符号の説明】
【０００９】
１    錠装置
２    錠装置本体
３    受金
４    ケース
４ａ  開口
５    デッドボルト
５ａ  長孔
５ｂ  凹部
５ｃ  受動面
５ｄ  受動面
５ｅ  係合凹部
６    錠前
６ａ  シリンダケース
６ｂ  ロータ
７    ストッパ
８    トリガ
８ａ  切欠部
８ｂ  摺動斜面
９    ガイドピン
１０  カム板
１１  枢軸
１２  ばね
１３  ばね
Ｂ    筐体
Ｄ    扉
Ｄ１  背面
Ｄ２  前面
Ｄ３  開口
Ｆ    枠体
【図１】
0005632825.tif 000002
【図２】
0005632825.tif 000003
【図３】
0005632825.tif 000004
【図４】
0005632825.tif 000005
【図５】
0005632825.tif 000006